(57)【特許請求の範囲】
【請求項１】
マガジン内に突出収納可能なディスクトレイであって、
ディスクを収容するための凹部と、
前記凹部に収容されたディスクを付勢するディスク付勢手段と、
前記凹部の内壁面に設けられ、前記ディスク付勢手段によりディスクを付勢することにより前記ディスクの外周縁部が当接する少なくとも２つの当接部とを備え、
前記ディスク付勢手段によりディスクを付勢した状態で前記マガジン内外に突出収納することを特徴とするディスクトレイ。
【請求項２】
前記ディスク付勢手段は、前記凹部に収容されたディスクの側面を一方向に押し付けることを特徴とする請求項１記載のディスクトレイ。
【請求項３】
前記ディスク付勢手段は、前記凹部に収容されたディスクの上面に臨むような保持部を備えていることを特徴とする請求項２記載のディスクトレイ。
【請求項４】
前記当接部に挟まれる位置に、前記ディスクの上面に臨む保持部を有する保持部材が備えられていることを特徴とする請求項１乃至３のいずれかに記載のディスクトレイ。
【請求項５】
前記凹部の一内壁面の曲率を他の内壁面の曲率に対して変えることで前期当接部を形成することを特徴とする請求項１乃至４のいずれかに記載のディスクトレイ。
【発明の詳細な説明】
【０００１】
【産業上の利用分野】
本発明は、トレイ内に収容されているディスクのガタつきを３点以上の保持によって阻止したディスクトレイに関する。
【０００２】
【従来の技術】
近年、複数のＣＤを連続して演奏することができるマルチタイプＣＤプレーヤが普及している。このようなマルチタイプＣＤプレーヤにおいて用いられるマガジン内には、ディスクを収容するためのトレイが複数枚収納されている。ディスクの取出しに際しては、トレイをマガジン内から回動させたり、スライドさせたりしている。
【０００３】
図１は、従来のスライド式のトレイの一例を示すもので、トレイ本体１にはディスク２の形状に合わせられたディスク収容部３が形成されている。ディスク収容部３の直径は、ディスク２の取出し等を容易とするために、ディスク２の直径より若干大きめとされている。またトレイ本体１の角部には、凹部４ａ〜４ｄが形成されている。これらの凹部４ａ〜４ｄは、ディスク収容部３に載置されているディスク２より低い位置とされているため、凹部４ａ又は４ｃからディスク収容部３内のディスク２の縁部を引き起こすことができるようになっている。トレイ本体１の中央部には、クランプ時において図示省略のターンテーブルが通過できるクランプ孔５が形成されている。
【０００４】
トレイ本体１の凹部４ｂ，４ｄには、ディスク保持部材６ａ，６ｂが軸７を支点として回動自在に配設されている。各ディスク保持部材６ａ，６ｂは、バネ部材８によって時計方向に付勢されている。
【０００５】
各ディスク保持部材６ａ，６ｂの端部には、それぞれＬ字形状の保持部９ａ及び二股形状の保持部９ｂが設けられている。二股形状の保持部９ｂはディスク２の外周縁部の押付け及び挟持の作用を有するが、Ｌ字形状の保持部９ａはディスク２の外周縁部の押付け及び浮上がり防止の作用を有している。
【０００６】
このような構成のトレイでは、ディスク２をディスク収容部３に載置する場合、たとえばディスク保持部材６ａをバネ部材８の付勢力に抗して時計方向に回動させた状態で、ディスク２の外周縁部をディスク保持部材６ｂの保持部９ｂに嵌め込む。この状態でディスク２をディスク収容部３に落し込むとともに、ディスク保持部材６ａをバネ部材８の付勢力によって定位置に戻す。
【０００７】
これにより、各ディスク保持部材６ａ，６ｂがディスク２の外周縁部を矢印で示すように、互いに向い合う方向に押し付けるので、ディスク２はディスク収容部３にて安定した状態で保持される。
【０００８】
一方、ディスク収容部３に載置されているディスク２を取出す場合には、上記同様に、ディスク保持部材６ａを時計方向に回動させてディスク２の保持状態を解くことにより、ディスク収容部３からディスク２を取出すことができる。
【０００９】
【発明が解決しようとする課題】
このように、上述した従来のトレイでは、ディスク２の外周縁部の対向位置を各ディスク保持部材６ａ，６ｂの保持部９ａ，９ｂによって互いに向い合う方向に押し付ける構成であるため、ディスク収容部３に対してのディスク２の収容及び取出しが簡単なものとされている。
【００１０】
ところが、このようなディスク２の外周縁部を２箇所で保持する構成では、外部振動が加わった場合、各保持部９ａ，９ｂによる押し付け方向へのガタは阻止することができるものの、その押し付け方向に対して直交する方向ではガタつきが生じ、ガタ音を発生してしまうという不具合があった。
【００１１】
本発明は、このような事情に対処してなされたもので、トレイ内に保持されたディスクのガタつきを確実に防止することができるディスクトレイを提供することを目的とする。
【００１２】
【課題を解決するための手段】
本発明は、上記目的を達成するために、マガジン内外に突出収納可能なディスクトレイであって、ディスクを収容するための凹部と、前記凹部に収容されたディスクを付勢するディスク付勢手段と、前記凹部の内壁面に設けられ、前記ディスク付勢手段によりディスクを付勢することにより前記ディスクの外周縁部が当接する少なくとも２つの当接部を備え、前記ディスク付勢手段によりディスクを付勢した状態で前記マガジン内外に突出収納することを特徴とする。
【００１３】
【作用】
本発明のディスクトレイでは、マガジン内外に突出収納可能なディスクトレイにおいて、所定方向に付勢する付勢手段による付勢力を、ディスクが収容される凹部の内壁面の少なくとも２箇所で受ける構成としたので、ディスクを少なくとも計３箇所にて保持することができる。
【００１４】
したがって、マガジン内から外に突出され、またマガジン外から内に収納されるディスクトレイが外部振動等を受けディスクに対して振動力が加えられた場合でも、水平面でのあらゆる方向へのディスクの移動を阻止することができるので、トレイ内に保持されたディスクのガタ付きを確実に防止し、ガタ音の発生を防止することができる。
【００１５】
【実施例】
以下、本発明の実施例の詳細を図面に基づいて説明する。なお、以下に説明する図において、図１及び図２と共通する部分には同一符号を付し重複する説明を省略する。
【００１６】
図３は、本発明のディスクトレイの一実施例を示すもので、トレイ本体１の凹部４ｂに設けられているディスク保持部材６ａは、図４に示すように、保持部９ａがディスク２の外周縁部に当接しない位置まで回動されるようになっている。したがって、この保持部９ａはディスク２に対して押付け力を与えるものではなく、単にディスク２の浮き上がりを阻止する役目を担っている。
【００１７】
トレイ本体１にはディスク２の形状に合わせられたディスク収容部３が形成されている。ディスク収容部３は、凹部４ａと４ｂとの間の部材，凹部４ｂと４ｃとの間の部材，凹部４ｃと４ｄとの間の部材，及び凹部４ｄと４ａとの間の部材から成り、ディスク２が載置される部分が凹となるようにディスク２の外周縁部に面する内壁面が各々形成されている。また、これらの内壁面は、ディスク２の取出し等を容易とするためにディスク２の直径よりも若干大きめに形成されるとともに、保持部材６ａに近づくにつれて直径が小さくなるように内壁面の曲率を変化させている。その結果、凹部４ｂと４ｃとの間の部材，及び凹部４ｄと４ａとの間の部材の内壁面のうちディスク保持部材６ａに最も近い部分（２箇所）がディスク２の外周縁部に当接することになる。すなわちディスク２の外周縁部に当接する当接部３ａ，３ｂが設けられている。
【００１８】
トレイ本体１の前方側には、トレイ本体１がマガジン２０内から引き出される際に図示しないローディング機構の係合爪が係合される係合片１１が設けられている。トレイ本体１の後方側には、後述するトレイ突出防止爪２６によって係合される係合突起１２及びバネ部材２７によって係合される係合段部１３ｂを有した係合突起１３が設けられている。またトレイ本体１の後方側には、後述する位置決め突起２３，２４によって位置決めされるガイド溝１４，１５が設けられている。
【００１９】
このような構成のトレイでは、ディスク２をディスク収容部３に収容する場合、たとえばディスク保持部材６ａをバネ部材８の付勢力に抗し反時計方向に回動させた状態で、ディスク２の外周縁部をディスク保持部材６ｂの保持部９ｂに嵌め込む。この状態でディスク２をディスク収容部３に落し込むとともに、ディスク保持部材６ａをバネ部材８の付勢力によって定位置に戻す。
【００２０】
このとき、ディスク保持部材６ａの保持部９ａがディスク２の外周縁部から離れるとともに、保持部９ａがディスク２の外周縁部上方に位置した状態で、ディスク保持部材６ａの回動が停止する。一方、ディスク保持部材６ｂの保持部９ｂは、ディスク２に対して矢印方向に押付け力を与える。
【００２１】
これにより、ディスク２のディスク保持部材６ａ側の外周縁部は、当接部３ａ，３ｂに押し当てられるため、ディスク２はディスク収容部３にてディスク保持部材６ｂの保持部９ｂ及び当接部３ａ，３ｂにより３箇所で支持されることになる。
【００２２】
図５乃至図７は、上記のトレイ本体１を多段に収容するためのマガジンを示すもので、マガジン本体２０にはトレイ本体１の係合片１１を露出させるための切欠き部２１が設けられている。この切欠き部２１は、ディスク２の選択が行われる場合に図示省略の再生機構側が上下動することに対応させたものであり、上記のローディング機構の係合爪が切欠き部２１内を上下するに最適な形状とされている。
【００２３】
マガジン本体２０内部には、トレイ本体１の挿入のガイドを行うとともに、挿入されたトレイ本体１を水平状態に保持するガイド片２２が多段に配設されている。
【００２４】
マガジン本体２０の最奥部には、上記のガイド溝１４，１５に嵌り込む位置決め突起２３，２４が突設されている。ここで、位置決め突起２３の配置箇所は、後述する理由から後述のバネ部材２７寄りとされている。
【００２５】
位置決め突起２３の近傍には、シャフト２５が配設されている。シャフト２５には、トレイ本体１の収納個数に対応したトレイ突出防止爪２６が回動自在に取付けられている。いずれかのトレイ本体１がマガジン本体２０から取り出された場合には、そのトレイ本体１に対応するトレイ突出防止爪２６のみが回動するが、他のトレイ突出防止爪２６の回動は阻止されているため、他のトレイ本体１のマガジン本体２０からの突出が阻止されるようになっている。
【００２６】
トレイ突出防止爪２６と位置決め突起２３との間には、トレイ本体１の係合突起１３を図中右方向に付勢するためのバネ部材２７が配設されている。このバネ部材２７の付勢力により、マガジン本体２０の最奥部直前まで押し込まれたトレイ本体１が後述するように、最奥部まで引き込まれるようになっている。
【００２７】
このような構成のマガジンでは、トレイ本体１をマガジン本体２０内部に収納する場合、図８に示すように、トレイ本体１をガイド片２２に沿って挿入する。このとき、トレイ突出防止爪２６はトレイ本体１の挿入の妨げとならないように、反時計方向に回動している。
【００２８】
トレイ本体１をマガジン本体２０の最奥部近傍まで押し込むと、係合突起１３の傾斜辺がバネ部材２７に当接する。この状態では、トレイ本体１のガイド溝１４，１５が位置決め突起２３，２４に浅めに嵌り込む。
【００２９】
この状態からトレイ本体１を更に押し込むと、係合突起１３がバネ部材２７によって矢印方向に付勢されることにより、係合突起１３の先端部１３ａが位置決め突起２３に押し当てられる。これにより、バネ部材２７による付勢力の作用点が係合突起１３の先端部１３ａと係合突起１３との当接部分となり、バネ部材２７に近接した位置となるため、マガジン本体２０内部でトレイ本体１が回動することなく定姿勢を保った状態で押し込まれる。
【００３０】
この状態からトレイ本体１をマガジン本体２０の最奥部直前まで押し込むと、バネ部材２７が係合突起１３の傾斜辺を乗り越えて係止段部１３ｂ側に移動する。このバネ部材２７が傾斜辺を乗り越えることによってトレイ本体１に対し引込み力が作用するため、マガジン本体２０の最奥部直前ではトレイ本体１が自動的に引き込まれる。
【００３１】
このとき、トレイ突出防止爪２６が時計方向に回動して係合突起１２に係合することにより、トレイ本体１の飛び出し方向への移動が阻止される。また、バネ部材２７の付勢力によって係合突起１３が図中矢印方向に押し付けられるので、マガジン本体２０内部でのトレイ本体１のガタつきも防止される。
【００３２】
ここで、バネ部材２７によるマガジン本体２０の最奥部直前でのトレイ本体１の引き込みのについて説明する。
【００３３】
まず、図１０に示すように、位置決め突起２３が設けられていない場合について考察する。
但し、以下の説明において、
Ｆ：  バネ力（Ｆx ，ＦY はそのｘ成分，ｙ成分）
Ｎ1 ，Ｎ2 ：  マガジンガイド面からの抗力
μ：  マガジンとトレイとの摩擦係数
Ｋ：  バネとトレイとの摩擦力（Ｋx ，ＫY はそのｘ成分，ｙ成分）
である。
【００３４】
力の釣合いの式をたてると、
ｘ方向では、
−Ｆx −Ｋx ＋Ｎ1 −Ｎ2 ＝０
ｙ方向では、
ＦY −ＫY −μＮ1 −μＮ2 ＞０
原点を中心としたモーメントは、
−ｂ1 Ｎ1 −ａ1 μＮ1 ＋ｂ2 Ｎ2 −ａ2 μＮ2 ＝０
となる。
【００３５】
以上の式に実際に数値を入れて計算すると、図１２に示すように、マガジンとトレイとの摩擦係数であるμを０．４３以下とする必要があった。
【００３６】
一方、図１１に示すように、位置決め突起２３を設けた場合は、バネ部材２７による付勢力を位置決め突起２３と係合突起１３との接合部によって受けることができるので、マガジン本体２０内部でのトレイ本体１の回動が極力小さくなるので、マガジン本体２０の内面の抗力であるＮ2 成分が無くすことができ、図１２に示すように、μを１．３３以下までとすることができる。
【００３７】
このように本実施例では、ディスク保持部材６ｂの保持部９ｂによるディスク２に対しての付勢力を、ディスク収容部３の内壁面に設けた２個の当接部３ａ，３ｂによって受ける構成としたので、ディスク収容部３にてディスク２をディスク保持部材６ｂの保持部９ｂ及び当接部３ａ，３ｂにより３箇所で支持することができる。
【００３８】
したがって、外部振動等によるディスク２の水平面でのあらゆる方向への移動を阻止することができるので、トレイ内に保持されたディスク２のガタつきが確実に防止される。
【００３９】
また、本実施例では、トレイ本体１のガイド溝１４を位置決めガイドするための位置決め突起２３をバネ部材２７の近傍に設け、バネ部材２７による付勢力を位置決め突起２３と係合突起１３との接合部によって受けるようにした。
【００４０】
したがって、マガジン本体２０内部でのトレイ本体１の回動を極力小さくすることができるので、マガジン本体２０の内面の抗力であるＮ2 成分が無くすことができ、図１２に示すように、μを１．３３以下までとすることができる。
【００４１】
その結果、バネ部材２７による引込み力を小さくした場合であっても、トレイ本体１の引き込みを確実に行わせることができる。
【００４２】
なお、本実施例では、バネ部材２７によって係合される係合突起１３の係止段部１３ｂを水平とした場合について説明したが、この例に限らず、たとえば図１３に示すように、バネ部材２７側に向かって下がるように傾斜させた形状としてもよい。
【００４４】
【発明の効果】
以上説明したように、本発明のディスクトレイによれば、マガジン内外に突出収納可能なディスクトレイにおいて、所定方向に付勢する付勢手段による付勢力を、ディスクが収容される凹部の内壁面の少なくとも２箇所で受ける構成としたので、ディスクを少なくとも計３箇所にて保持することができる。したがって、マガジン内から外に突出され、またマガジン外から内に収納されるディスクトレイが外部振動等を受けディスクに対して振動力が加えられた場合でも、水平面でのあらゆる方向へのディスクの移動を阻止することができるので、トレイ内に保持されたディスクのガタ付きを確実に防止し、ガタ音の発生を防止することができる。
【図面の簡単な説明】
【図１】従来のディスクトレイの一例を示す図である。
【図２】図１の各ディスク保持部材によるディスクの外周縁部への当接状態を説明するための断面図である。
【図３】本発明のディスクトレイの一実施例を示す図である。
【図４】図３の各ディスク保持部材によるディスクの外周縁部に対する配設状態を説明するための断面図である。
【図５】図３のトレイを収納するためのマガジンを示す平面図である。
【図６】図５のマガジンを示す側面図である。
【図７】図５のマガジンを示す断面図である。
【図８】図３のトレイをマガジンに収納する際の動作を説明するための図である。
【図９】図３のトレイの収納完了状態を示す図である。
【図１０】図３のバネ部材によるトレイの引き込みについて説明するための図である。
【図１１】図３のバネ部材によるトレイの引き込みについて説明するための図である。
【図１２】図３のガイド突起の位置と限界摩擦係数との関係を示す図である。
【図１３】図３のバネ部材によって係合される係合突起の係止段部の形状を変えた場合の他の実施例を示す図である。
【符号の説明】
１  トレイ本体
２  ディスク
３ａ，３ｂ  当接部
１１  係合片
６ａ，６ｂ  ディスク保持部材
９ａ，９ｂ  保持部
２０  マガジン本体
【図１】
0003642495.tif 000002
【図２】
0003642495.tif 000003
【図３】
0003642495.tif 000004
【図４】
0003642495.tif 000005
【図５】
0003642495.tif 000006
【図６】
0003642495.tif 000007
【図７】
0003642495.tif 000008
【図８】
0003642495.tif 000009
【図９】
0003642495.tif 000010
【図１０】
0003642495.tif 000011
【図１１】
0003642495.tif 000012
【図１２】
0003642495.tif 000013
【図１３】
0003642495.tif 000014